(57)【要約】【課題】アルコールのような消毒剤のための液体容器を提供すること、又は化粧品のような他のタイプの液体材料のための使いやすい容器を提供すること。【解決手段】好ましい実施態様では、液体容器（３０，２００）は、底部（３２，２３０）と、底部内に配置された貯蔵チューブ（３４，２３２）と、貯蔵チューブに接するように配置された毛管（３８，２１２）と、底部上に配置された中間部（３６，２１０）とを含み、毛管は中間部の上方開口から伸びる上端部（６２，２２２）を有する。
2005519815.tif 000002
【特許請求の範囲】
【請求項１】
液体容器であって、
（ａ）底部と
（ｂ）前記底部内に配置された貯蔵チューブと、
（ｃ）前記貯蔵チューブと接するように配置された毛管と、
（ｄ）前記底部上に配置された中間部とを含み、
（ｅ）前記毛管は前記中間部の上方開口から伸びる上端部を有する、液体容器。
【請求項２】
さらに、前記中間部上に取り外し可能に配置され、前記毛管の前記上部の頂を密封する頂部を含む、請求項１に記載の液体容器。
【請求項３】
前記中間部は前記底部に嵌合し、また前記底部に規定された対応する水平溝に嵌合する、前記中間部に形成された水平リッジにより前記底部に保持される、請求項１に記載の液体容器。
【請求項４】
前記頂部は、該頂部に形成された少なくとも１つのフランジにより前記中間部に取り外し可能に保持され、前記少なくとも１つのフランジは前記中間部とこれを把持するように係合する、請求項２に記載の液体容器。
【請求項５】
さらに、前記頂部に固定的に配置された据え付けクリップを含む、請求項２に記載の液体容器。
【請求項６】
前記据え付けクリップは前記聴診器上に前記容器を保持するように適合されている、請求項５に記載の液体容器。
【請求項７】
前記据え付けクリップは、
（ａ）前記聴診器の上チューブの周りに折り曲げられるように適合された２つの上アームと、
（ｂ）前記聴診器の下チューブの周りに折り曲げられるように適合された２つの下アームとを含む、請求項６に記載の液体容器。
【請求項８】
前記貯蔵チューブは、多孔性のアセテート材料で満たされた透明なプラスチック材料で形成されている、請求項１に記載の液体容器。
【請求項９】
前記毛管は、多孔性の高密度ポリエチレン材料で形成されている、請求項１に記載の液体容器。
【請求項１０】
前記据え付けクリップはネオプレンで形成されている、請求項５に記載の液体容器。
【請求項１１】
さらに、前記下アームがこれらが前記聴診器の下チューブの周りに折り曲げられた後に端部に挿入可能である中空のチューブを含む、請求項７に記載の液体容器。
【請求項１２】
前記中空のチューブは発泡プラスチック材料で形成されている、請求項１１に記載の液体容器。
【請求項１３】
前記底部は、２つの垂直な相対して配置された、前記底部の頂近傍の上方点から傾斜する壁を含み、前記壁は、前記貯蔵チューブを所定の位置に案内するように前記底部の底近傍の下方点に幅を有しない、請求項１に記載の液体容器。
【請求項１４】
前記貯蔵チューブは、２つの相対して配置された、前記底部の垂直な壁により所定位置に部分的に保持される、請求項１３に記載の液体容器。
【請求項１５】
前記毛管は、前記中間部に前記毛管を配置するためにその上端部近傍に形成された水平なオフセットを有する、請求項１に記載の液体容器。
【請求項１６】
液体容器を使用する方法であって、
（ａ）底部を提供すること、
（ｂ）前記底部内に配置される貯蔵チューブを提供すること、
（ｃ）前記貯蔵チューブに接するように配置される毛管を提供すること、
（ｄ）前記底部上に配置される中間部を提供すること、
（ｅ）前記中間部の上方開口から伸びる上端部を有する前記毛管を提供することを含む、方法。
【請求項１７】
さらに、前記中間部上に取り外し可能に配置され、前記毛管の前記上部の頂を密封する頂部を提供することを含む、請求項１６に記載の液体容器を使用する方法。
【請求項１８】
さらに、前記底部に嵌合し、また前記底部に規定された対応する水平溝に嵌合する、前記中間部に形成された水平リッジによりこれをそこに保持する中間部を提供することを含む、請求項１６に記載の液体容器を使用する方法。
【請求項１９】
前記頂部に形成された少なくとも１つのフランジにより前記中間部に取り外し可能に保持され、前記少なくとも１つのフランジは前記中間部とこれを把持するように係合する前記頂部を提供することを含む、請求項１７に記載の液体容器を使用する方法。
【請求項２０】
さらに、前記頂部に固定的に配置された据え付けクリップを提供することを含む、請求項１７に記載の液体容器を使用する方法。
【請求項２１】
聴診器上に前記容器を保持するように適合された前記据え付けクリップを提供することを含む、請求項２０に記載の液体容器を使用する方法。
【請求項２２】
さらに、
（ａ）前記聴診器の上チューブの周りに折り曲げられるように適合された２つの上アームと、
（ｂ）前記聴診器の下チューブの周りに折り曲げられるように適合された２つの下アームとを備える前記据え付けクリップを提供することを含む、請求項２１に記載の液体容器。
【請求項２３】
さらに、多孔性のアセテート材料で満たされた透明なプラスチック材料で形成された前記貯蔵チューブを提供することを含む、請求項１６に記載の液体容器を使用する方法。
【請求項２４】
さらに、多孔性の高密度ポリエチレン材料で形成された前記毛管を提供することを含む請求項１６に記載の液体容器を使用する方法。
【請求項２５】
さらに、ネオプレンで形成された前記据え付けクリップを提供することを含む、請求項２１に記載の液体容器を使用する方法。
【請求項２６】
さらに、前記下アームがこれらが前記聴診器の下チューブの周りに折り曲げられた後に端部に挿入可能である中空のチューブを提供することを含む、液体容器を使用する方法。
【請求項２７】
さらに、発泡プラスチック材料で形成された前記中空のチューブを提供することを含む、請求項２６に記載の液体容器を使用する方法。
【請求項２８】
さらに、２つの垂直な相対して配置された、前記底部の頂近傍の上方点から傾斜する壁を含み、前記壁が前記貯蔵チューブを所定の位置に案内するように前記底部の底近傍の下方点に幅を有しない前記底部を提供することを含む、請求項１６に記載の液体容器を使用する方法。
【請求項２９】
さらに、２つの相対して配置された、前記底部の垂直な壁により所定位置に部分的に保持される前記貯蔵チューブを提供することを含む、請求項２８に記載の液体容器を使用する方法。
【請求項３０】
さらに、前記中間部に前記毛管を配置するためにその上端部近傍に形成された水平なオフセットを有する毛管を提供することを含む、請求項１６に記載の液体容器を使用する方法。
【発明の詳細な説明】
【技術分野】
【０００１】
本発明は一般的には液体容器に関し、より詳細には、限定としてではなく新規な液体容器及び使用方法に関する。
【背景技術】
【０００２】
液体容器は、広く様々な形状で使用可能である。本発明は、液体容器の２つの使用を扱う。一つは、例えば、聴診器のダイヤフラム及び胸あて及び／又は耳あて、あるいは鍼又は糖尿病用針を滅菌するような滅菌用容器の使用である。他の１つは、例えばマニキュア液リムーバ、化粧品又は昆虫忌避剤のような液体化粧品又は液体材料の適用のための液体容器の使用である。
【０００３】
聴診器のメーカーは、患者間の相互汚染を可能な限り回避するために聴診器を消毒することを勧める。不幸にも、聴診器を消毒するための手段は聴診器の使用者に容易に利用可能ではなく、その結果として、聴診器はしばしば相当長い期間消毒されず、相互汚染の可能性を伴う。鍼及び糖尿病用針は、特に異なる者がこれらの針を使う場合、明らかに使用の間の消毒の必要がある。
【０００４】
液体化粧品は、大抵、狭い開口を有する容器からの少量を振り出し、又は容器からの吹き付けにより塗布される。いずれの場合においても、このような塗布は比較的汚れを伴い、また液体を浪費する。同じことは他の液体材料にも当てはまる。
【発明の開示】
【発明が解決しようとする課題】
【０００５】
したがって、本発明の主たる目的は、アルコールのような消毒剤のための液体容器を提供すること、又は化粧品のような他のタイプの液体材料のための使いやすい容器を提供することにある。
【０００６】
さらに、本発明の他の目的は、経済的であるこのような液体容器及び使用方法を提供することにある。
【０００７】
加えて、本発明の目的は、経済的に製造可能であるこのような液体容器を提供することにある。
【０００８】
本発明の他の目的は、据え付けが容易であるこのような液体容器を提供することにある。
【０００９】
さらに、本発明の目的は、聴診器に目立たないように据え付け可能である、このような液体容器を提供することにある。
【００１０】
さらに、加えて、本発明の目的は、前記液体容器の中身を保護するこのような液体容器及び使用方法を提供することにある。
【００１１】
本発明の他の目的は、その特定の機能、要素及び利点と共に、次の説明及び添付図面から明瞭になり、又は明らかとなろう。
【課題を解決するための手段】
【００１２】
本発明は、好ましい実施態様において、ハウジングと、該ハウジング内に配置された貯蔵チューブと、該貯蔵チューブと接するように配置された毛管と、前記ハウジング上に配置されたキャップを含み、前記毛管が前記キャップの上方開口から伸びる上端部を有する液体容器を提供することにより、前記目的を達成する。
【００１３】
本発明の理解及び様々な態様は、図解のみを目的としてまた本発明の範囲を規定することを規定することを意図しない添付図面を参照することにより、容易にされよう。
【発明を実施するための最良の形態】
【００１４】
図面を参照する。図面上、その種々の図を通して類似又は同一の要素に一貫した特定符号が付され、また図番の付加的参照は、使用されていれば、前記要素が他の図において見られる場合であっても、前記要素が記載されている図に読者を向ける。
【００１５】
図１は、底部３２と、貯蔵チューブ３４と、キャップ３６と、毛管３８(capillary)と、頂部４０とを含む液体容器３０を示す。液体容器３０の前記した要素は摩擦嵌合している。貯蔵チューブ３４は底部３２に嵌合している。キャップ３６の下端の周囲に形成された環状のフランジ５０もまた底部３２に嵌合し、前記底部内に形成された対応水平溝に嵌る水平リッジ５２によりこのような位置に堅固に保持される（図１には示されていない。）。毛管３８はキャップ３６内に挿入され、これに摩擦保持されており、毛管３８の下端部６０は貯蔵チューブ３４内に突込まれ、また前記毛管の上端部６２は前記キャップの上端から突出する。頂部４０は、任意の据え付けブラケット又はクリップ７０を含み、また頂部４０は取り外し可能にキャップ３６上に嵌り、この上に摩擦保持される。
【００１６】
図２は、キャップ３６から分離して示された頂部４０を除き、組み立てられた液体容器の全ての要素を示す。図２に見られるように、キャップ３６上の頂部４０を把持するように、しかし取り外し可能に保持するために頂部４０の下端に２つの水平なフランジ８０が形成されている。
【００１７】
図３、図４及び図５は、底部３２の種々の見える状態を表す。図５に、水平なリッジ５２（図１）が嵌合する水平な溝９０が見られる。
【００１８】
図６、図７及び図８は貯蔵チューブ３４の種々に見える状態を表す。
【００１９】
図９、図１０及び図１１は毛管３８の種々に見える状態を表す。
【００２０】
図１２、図１３及び図１４はキャップ３６の種々に見える状態を表す。
【００２１】
図１５、図１６及び図１７は頂部４０の種々に見える状態を表す。
【００２２】
図１８、図１９及び図２０は、聴診器（図１８、図１９又は図２０には示していない。）に液体容器を保持するように設計されたヨーク／クランプ１００の種々に見える状態を示し、前記液体容器は、据え付けヨーク／クランプ１００に規定されこれを経る水平スロット１０２に据え付けブラケット７０を挿入することにより前記聴診器に据え付けられる。据え付けヨーク／クランプ１００の本体から伸びる２つの下アーム１１０及び１１２は聴診器の下チューブの周りに折り曲げられ、また前記据え付けヨーク／クランプの本体から伸びる２つの上アーム１１４及び１１６は、ぎざぎざにされ、前記聴診器の上チューブの周りに折り曲げられ、また据え付けヨーク／クランプ１００に規定されたスロット１１８及び１２０内への前記上アームの把持挿入により前記位置に保持される。
【００２３】
図２１は聴診器に据え付けられた液体容器３０を示し、前記聴診器は２つの上チューブ１３０及び１３２と下チューブ１３４とを有する。また、図２１に、据え付けヨーク／クランプ１００に設けられるネームプレートが示されている。
【００２４】
図２２は中空のチューブ１５０を示し、その両端部に、下アーム１１０及び１１２（図１８）が挿入され、前記聴診器の下チューブ１３４（図２１）の周りで前記チューブ内に前記下アームを保持する。
【００２５】
図２３は底部３２を示し、またそれが内部の垂直な傾斜壁１６０を含むことを示す。類似の傾斜壁（図示せず）が底部３２の相対する側部に設けられており、前記傾斜壁は貯蔵チューブ３４（図１）を所定の場所に案内するように設けられている。貯蔵チューブ３４は、底部３２の相対する壁１７０及び１７２間を伸長する。
【００２６】
図２４は、液体容器３０（図１）の少し単純化された態様を示し、ここで、液体容器は全体に符号２００で示されている。キャップ３６（図１）は、ミッドセセクションすなわち中間部と呼ばれるものまで長さを大きくされ、その底部に毛管２１２が挿入される。毛管２１２の上端部近傍に固定配置されたオフセット２２０は、前記オフセットの外エッジが前記中間部の内面と係合し、また前記毛管の頂部２２２が前記中間部２１０の頂から伸びるように、中間部２１０内に前記毛管を配置する。オフセット２２０は、中間部２１０の頂部が退去しないようにする。垂直な貯蔵器２３２を保持する非常に短くされた底部２３０が中間部２１０にスナップ係合する。このようなアタッチメント手段は、液体容器３０の水平なリッジ５２（図１）と水平な溝（図５）とに似ている。毛管２１２は、貯蔵器２３２内に押し込まれる。頂部２４０は、頂部４０（図１）と同一である。
【００２７】
使用に際し、液体容器３０（図１）は据え付けブラケット７０と据え付けヨーク／クランプ１００とを用いて聴診器（図２１）に据え付けられ、あるいは適当な据え付け手段を用いて他の対象に据え付けられる。液体容器３０が液状の化粧品又は他の物質を分配するように使用されるとき、前記据え付け手段は省略される。例えば、貯蔵チューブ３４（図１）はアルコールのような消毒剤、液体化粧品、マニキュア液リムーバ、鍼治療に用いられる液体、糖尿病をコントロールするのに用いられる液体、又は昆虫忌避剤で満たされ、前記貯蔵チューブに配置される様々な種類の液体の例として、最終使用に応じて、次に液体容器３０の他の要素が組み合わされる。液体容器３０が使用されるとき、頂部４０及びキャップ３６が分離され（図２）、これにより毛管６０（図１）の上端部６２を露出する。次に毛管６０の上端部６２は、貯蔵チューブ３４（図１）がアルコールで満たされているときは、聴診器の前記ダイヤフラム及び胸あて及び／又は耳あてを殺菌するために使用され、あるいは前記貯蔵チューブが満たされているものに応じて、液体化粧品又は前記した他の材料の一つを身体の一部分又は複数部分に塗布するために用いられる。次に、頂部４０及びキャップ３６が組み立て直される。液体容器２００（図２４）は同様に据え付けられ及び／又は使用される。
【００２８】
液体容器３０（図１）の底部３２、キャップ３６及び頂部４０、並びに液体容器２００の底部２３０、中間部２１０及び頂部２４０は、任意の適当な熱可塑性樹脂材料で形成することができる。貯蔵チューブ３４（図１）及び２３２（図２４）は、アルコールのような消毒剤、液体化粧品又は他の液体材料がしみ込まされる多孔性アセテート材料で満たされる透明な押し出しプラスチックで形成することができる。毛管３８（図１）及び２１２（図２４）は、多孔性の高密度ポリエチレン材料で形成することができる。据え付けヨーク／クランプ１００（図１８）は、ネオプレンで形成することができる。チューブ１５０（図２２）は発泡プラスチック材料で形成することができる。貯蔵チューブ３４及び２３２内に配置される液体と共存し得る他の材料も同様に採用することができる。
【００２９】
前記した本発明の実施態様において、個々の要素及び／又は特徴は特定の実施の態様に必ずしも限定されないが、適用可能であれば、交換可能であり、また特別に図示されていないものであっても任意の選択された実施態様において使用可能であることは理解されよう。
【００３０】
「前記」、「以下」、「下の」、「上の」、「内部の」、「外部の」、「内方に」、「外方に」、「垂直な」、「水平な」等のような語は、ここで使用されるとき、添付図上に示された各要素の位置に言及しており、本発明は必ずしもそのような位置に限定されない。
【００３１】
したがって、先に挙げられ、前述の説明において明瞭にされ又は前述の説明から明らかにされた目的が十分に達成されることは明らかであろうし、また本発明の範囲から逸脱することなしにある変更が前記構造及び方法においてなされるため、前記した説明に含まれ又は前記添付図面に示された全ての事項が図示のみでありまた認識を制限しないと理解されることを意図する。
【００３２】
また、以下の請求の範囲はここに記載された本発明の一般的な及び特定の特徴の全て、並びに言語の問題として、これらの間に属するいわれる本発明の範囲の全ての陳述に及ぶことが意図されていることは理解されよう。
【図面の簡単な説明】
【００３３】
【図１】本発明の実施の態様の一つに従って構成された液体容器の分解背面図である。
【図２】液体容器の他の要素から分離されたキャップを有する液体容器の分解された斜視図図である。
【図３】液体容器の底部の正面図である。
【図４】液体容器の底部の側面図である。
【図５】液体容器の底部の斜視図である。
【図６】液体容器の貯蔵チューブの正面図である。
【図７】液体容器の貯蔵チューブの側面図である。
【図８】液体容器の貯蔵チューブの斜視図である。
【図９】液体容器の毛管の正面図である。
【図１０】液体容器の毛管の側面図である。
【図１１】液体容器の毛管の斜視図である。
【図１２】液体容器の頂部の正面図である。
【図１３】液体容器の頂部の側面図である。
【図１４】液体容器の頂部の斜視図である。
【図１５】液体容器のキャップの背面図である。
【図１６】液体容器のキャップの側面図である。
【図１７】液体容器のキャップの斜視図である。
【図１８】液体容器が据え付けられる据え付けヨーク／クランプの正面図である。
【図１９】液体容器が据え付けられた据え付けヨーク／クランプの側面図である。
【図２０】液体容器が据え付けられた据え付けヨーク／クランプの背面図である。
【図２１】据え付けヨーク／クランプを使用する聴診器に据え付けられた液体容器の部分正面図である。
【図２２】据え付けヨーク／クランプを据え付けるのに使用されるチューブの斜視図である。
【図２３】液体容器の底部の断面斜視図である。
【図２４】本発明の他の実施態様に従って構成された液体容器の分解背面図である。
【符号の説明】
【００３４】
３０，２００  液体容器
３２，２３０  底部
３４，２３２  貯蔵チューブ
３６，２１０  中間部（キャップ）
３８，２１２  毛管
６２，２２２  上方開口
【図１】
2005519815.tif 000003
【図２】
2005519815.tif 000004
【図３】
2005519815.tif 000005
【図４】
2005519815.tif 000006
【図５】
2005519815.tif 000007
【図６】
2005519815.tif 000008
【図７】
2005519815.tif 000009
【図８】
2005519815.tif 000010
【図９】
2005519815.tif 000011
【図１０】
2005519815.tif 000012
【図１１】
2005519815.tif 000013
【図１２】
2005519815.tif 000014
【図１３】
2005519815.tif 000015
【図１４】
2005519815.tif 000016
【図１５】
2005519815.tif 000017
【図１６】
2005519815.tif 000018
【図１７】
2005519815.tif 000019
【図１８】
2005519815.tif 000020
【図１９】
2005519815.tif 000021
【図２０】
2005519815.tif 000022
【図２１】
2005519815.tif 000023
【図２２】
2005519815.tif 000024
【図２３】
2005519815.tif 000025
【図２４】
2005519815.tif 000026
【国際調査報告】
2005519815.tif 000027